(57)【要約】【課題】  シート状の絞り部材を精度良く組み込め、しかも組立て性が良く、外部からの振動や衝撃に強い絞り装置またはそれを使用した撮像装置を提供すること【解決手段】  第１の開口部の外周辺部の少なくとも三箇所に形成された突状部を有するシート状の絞り部材と、上記突状部が位置するための切欠き部が形成されたフランジ部と上記外周辺部を押圧する押圧部と上記第１の開口部と対応する位置に形成された第２の開口部とを有する絞り保持部材と、を具備し、上記シート状の絞り部材が上記絞り保持部材に組み込まれた際、上記突状部の各々は、一部分が上記切欠部に配置され、それ以外の部分が上記フランジ部と重なるように当該フランジ部の第１の面側に位置し、上記シート状の絞り部材に形成された上記外周辺部は、上記フランジ部の第１の面側とは反対側の面である第２の面側において上記絞り保持部材と重なるように配置した。【選択図】図１３（ａ）
2014191284.tif 000002
【特許請求の範囲】
【請求項１】
光学系を透過してくる光束の範囲を規定する第１の開口部と、当該第１の開口部を形成する外周辺部の少なくとも三箇所から突出するように形成された突状部と、を有するシート状の絞り部材と、
上記シート状の絞り部材が組み込まれた際に当該シート状の絞り部材に形成された突状部が位置するための切欠き部が形成されたフランジ部と、上記切欠き部が形成されたフランジ部以外の部位に形成されていて上記シート状の絞り部材が組み込まれた際に上記シート状の絞り部材の外周辺部を押圧する押圧部と、上記第１の開口部と対応する位置に形成された第２の開口部と、を有する絞り保持部材と、
を具備し、
上記シート状の絞り部材が上記絞り保持部材に組み込まれた際、上記シート状の絞り部材に少なくとも三箇所形成された突状部の各々は、一部分が上記切欠部に配置され、それ以外の部分が上記フランジ部と重なるように当該フランジ部の第１の面側に位置し、上記シート状の絞り部材に形成された上記外周辺部は、上記フランジ部の第１の面側とは反対側の面である第２の面側において上記絞り保持部材と重なるように配置されていることを特徴とする絞り装置。
【請求項２】
上記押圧部は、上記フランジ部の端部から当該第１の面側へ断面がＬ字状をなすように延出し、上記シート状の絞り部材に形成された上記外周辺部は、上記第２の面側において上記断面がＬ字状をなすように延出した押圧部と重なるように配置されていることを特徴とする請求項１記載の絞り装置。
【請求項３】
上記第２の開口部は上記断面がＬ字状をなすように延出した押圧部によって形成され、上記第１及び第２の開口部は共に略四角形状をしており、上記シート状の絞り部材に形成された上記突状部は四角形状した上記第１の開口部を有するシート状の絞り部材の四つの角部に形成され、上記絞り保持部材に形成された上記切欠部は上記突状部に対応して上記第２の開口部の角部に四つ配置されていることを特徴とする請求項２記載の絞り装置。
【請求項４】
上記フランジ部の端部から当該第１の面側へ断面がＬ字状をなすように延出して形成された上記押圧部は、上記シート状の絞り部材の外周辺部の少なくとも一部を支持していることを特徴とする請求項２記載の絞り装置。
【請求項５】
上記フランジ部の端部から当該第１の面側へ断面がＬ字状をなすように延出して形成された上記押圧部の厚さは、上記シート状の絞り部材の厚さよりも大きいことを特徴とする請求項４記載の絞り装置。
【請求項６】
撮像素子部材を保持する保持部材と、
上記撮像素子部材の外表面と所定の間隔を空けて配置された光学部材と、
上記光学部材を保持するとともに上記保持部材と弾性嵌合する弾性保持部材と、
上記光学部材の表面に配置され、光学系を透過してくる光束の範囲を規定する第１の開口部と、当該第１の開口部を形成する外周辺部の少なくとも三箇所から突出するように形成された突状部と、を有するシート状の絞り部材と、
上記シート状の絞り部材に形成された突状部が位置するための切欠き部を有し、上記弾性保持部材と接触するフランジ部と、上記切欠き部が形成されたフランジ部以外の部位に形成されていて上記シート状の絞り部材の外周辺部及び光学部材を押圧する押圧部と、上記第１の開口部と対応する位置に形成された第２の開口部と、を有する絞り保持部材と、
を具備し、
上記シート状の絞り部材に少なくとも三箇所形成された突状部の各々は、一部分が上記切欠部に配置され、それ以外の部分が上記フランジ部と重なるように当該フランジ部の第１の面側に位置し、上記シート状の絞り部材に形成された上記外周辺部は、上記フランジ部の第１の面側とは反対側の面である第２の面側において上記絞り保持部材と重なるように配置されていることを特徴とする撮像装置。
【請求項７】
上記押圧部は、上記フランジ部の端部から当該第１の面側へ断面がＬ字状をなすように延出し、上記シート状の絞り部材に形成された上記外周辺部は、上記第２の面側において上記断面がＬ字状をなすように延出した押圧部と重なるように配置されていることを特徴とする請求項６記載の撮像装置。
【請求項８】
上記第２の開口部は上記断面がＬ字状をなすように延出した押圧部によって形成され、上記第１及び第２の開口部は共に略四角形状をしており、上記シート状の絞り部材に形成された上記突状部は四角形状した上記第１の開口部を有するシート状の絞り部材の四つの角部に形成され、上記絞り保持部材に形成された上記切欠部は上記突状部に対応して上記第２の開口部の角部に四つ配置されていることを特徴とする請求項７記載の撮像装置。
【請求項９】
上記突状部の各々が上記フランジ部と重なる重畳部分は、上記シート状の絞り部材の突状部の先端部分であることを特徴とする請求項１記載の撮像装置。
【発明の詳細な説明】
【技術分野】
【０００１】
この発明は、絞り部材の取付け構造に関し、特に、絞り装置及びそれを使用した撮像装置において、撮像素子やローパスフィルタ等の光学部材へ入射する光束の範囲を規定する絞り部材取り付け構造に関する。
【背景技術】
【０００２】
撮影光学系により結像され、ローパスフィルタ等の光学部材を介して透過してきた光学像を撮像素子等の光電変換素子等で順次画像信号に変換し、これにより得られた画像信号を所定の形態の画像データとして記録媒体に記録し得ると共に、この記録媒体に記録された画像データをＬＣＤ等の液晶表示装置に画像として再生表示するデジタルカメラ等の撮像装置が知られている。
【０００３】
このような撮像装置には、撮像光学系からの光束が、撮像素子やローパスフィルタ等の光学部材へ入射する際の入射光束の範囲を規定するための絞り部材が設けられている。この絞り部材は、入射光束の範囲を規定する開口部を有するシート状の樹脂からなり、撮像素子やローパスフィルタ等の光学部材に接着固定されている。
【０００４】
例えば、特開２００３−３７７５８号公報の図９によって開示されているデジタルカメラには、遮光性を有する素材からなり、中央に絞り機能を発揮する開口（絞り）が形成された略円盤状のシート状部材(１６)が光学部材の上部に配置されていることが開示されている。この略円盤状のシート状部材(１６)の円周には、４つの突起部(１６ｂ)が等間隔に半径方向外方に向かって突出するように形成されていて、この４つの突起部(１６ｂ)が光学部材の頂部に形成されたリング部の切欠（１１ｇ）と係合することにより、シート状部材(１６)がリング部（１１ｆ）内に嵌合的に取り付けられるようになっている。
シート状部材(１６)がリング部（１１ｆ）内に取り付けられた後、フィルタが固定された遮光板(１５)を鏡枠（４）に取り付けることによってシート状部材(１６)を固定する。この遮光板(１５)には下面に向かう突起(１５Ｃ)が形成され、この突起(１５Ｃ)が上記シート状部材(１６)に設けられた４つの突起部(１６ｂ)を上方から押圧することにより、上記突起部(１６ｂ)を弾性変形させ、光学部材(１１)を所定の弾性力で押圧する。光学部材(１１)は適切な位置に位置決めした状態で撮像素子（２ｂ）を付勢する。そして、この状態で、最後に遮光板(１５)と鏡枠（４）とを接着固定する。
【先行技術文献】
【特許文献】
【０００５】
【特許文献１】特開２００３−３７７５８号公報
【発明の概要】
【発明が解決しようとする課題】
【０００６】
特開２００３−３７７５８号公報によって開示されているデジタルカメラは、光学部材（１１）を適切な位置に位置決めした状態で、シート状部材(１６)に形成された突起部(１６ｂ)を、遮光板(１５)の突起(１５Ｃ)で押圧することにより弾性変形させて光学部材（１１）にシート状部材(１６)を固定し、最後に、この状態を維持したまま遮光板(１５)と鏡枠（４）とを接着しなければならない。そのため、関連する全ての部材の位置を予め決める必要があり、関連部材の構成も複雑となり組立て性が悪い。また、位置決め後に、遮光板と鏡枠とを接着しなければならないので、接着剤が固化するまでこの状態を維持するための冶具が必要である。
【０００７】
さらに、シート状部材に形成された突起部(１６ｂ)は短いので、遮光板(１５)で４つの突起(１６ｂ)を弾性変形させようとしても当該４つの突起に均一な力を働かせるのは難しい。弾性変形させるための力が大きすぎるとシート状部材自体が変形してしまう可能性もある。これらの問題を解決するためには、４つの突起(１６ｂ)の各々を長くすれば良いが、長くするシート状部材が大きくなり、装置が大型化してしまう。
【０００８】
本発明は、上述した点に鑑みてなされたもので、その目的とするところは、シート状の絞り部材を精度良く組み込め、しかも組立て性が良く、外部からの振動や衝撃に強い絞り装置またはそれを使用した撮像装置を提供することである。
【課題を解決するための手段】
【０００９】
上記目的を達成するために、本発明の一態様の絞り装置は、光学系を透過してくる光束の範囲を規定する第１の開口部と、当該第１の開口部を形成する外周辺部の少なくとも三箇所から突出するように形成された突状部と、を有するシート状の絞り部材と、上記シート状の絞り部材が組み込まれた際に当該シート状の絞り部材に形成された突状部が位置するための切欠き部が形成されたフランジ部と、上記切欠き部が形成されたフランジ部以外の部位に形成されていて上記シート状の絞り部材が組み込まれた際に上記シート状の絞り部材の外周辺部を押圧する押圧部と、上記第１の開口部と対応する位置に形成された第２の開口部と、を有する絞り保持部材と、を具備し、上記シート状の絞り部材が上記絞り保持部材に組み込まれた際、上記シート状の絞り部材に少なくとも三箇所形成された突状部の各々は、一部分が上記切欠部に配置され、それ以外の部分が上記フランジ部と重なるように当該フランジ部の第１の面側に位置し、上記シート状の絞り部材に形成された上記外周辺部は、上記フランジ部の第１の面側とは反対側の面である第２の面側において上記絞り保持部材と重なるように配置されていることを特徴とする。
【００１０】
また、上記目的を達成するために、本発明の一態様の撮像装置は、撮像素子部材を保持する保持部材と、上記撮像素子部材の外表面と所定の間隔を空けて配置された光学部材と、
上記光学部材を保持するとともに上記保持部材と弾性嵌合する弾性保持部材と、上記光学部材の表面に配置され、光学系を透過してくる光束の範囲を規定する第１の開口部と、当該第１の開口部を形成する外周辺部の少なくとも三箇所から突出するように形成された突状部と、を有するシート状の絞り部材と、上記シート状の絞り部材に形成された突状部が位置するための切欠き部を有し、上記弾性保持部材と接触するフランジ部と、上記切欠き部が形成されたフランジ部以外の部位に形成されていて上記シート状の絞り部材の外周辺部及び光学部材を押圧する押圧部と、上記第１の開口部と対応する位置に形成された第２の開口部と、を有する絞り保持部材と、を具備し、上記シート状の絞り部材に少なくとも三箇所形成された突状部の各々は、一部分が上記切欠部に配置され、それ以外の部分が上記フランジ部と重なるように当該フランジ部の第１の面側に位置し、上記シート状の絞り部材に形成された上記外周辺部は、上記フランジ部の第１の面側とは反対側の面である第２の面側において上記絞り保持部材と重なるように配置されていることを特徴とする。
【発明の効果】
【００１１】
本発明によれば、シート状の絞り部材を精度良く組み込め、しかも組立て性が良く、外部からの振動や衝撃に強い絞り装置またはそれを使用した撮像装置を提供することができる。
【図面の簡単な説明】
【００１２】
【図１】本発明の一実施形態の撮像装置を示す外観斜視図
【図２】図１の撮像装置においてレンズ鏡筒を取り外した状態のカメラボディを示す外観斜視図
【図３】図１の撮像装置におけるレンズ鏡筒及びカメラボディのＡＡ線に沿う断面図
【図４】図３の撮像装置におけるカメラボディの撮像ユニットの要部周辺の部分拡大断面図
【図５】図４における防塵ゴム周辺の部分拡大断面図
【図６】図３におけるＢＢ線に沿った、カメラボディ内に収納された撮像ユニットの要部周辺部を拡大表示した部分断面図
【図７】撮像ユニットの分解斜視図
【図８】ガラス押圧部材とシート状絞り部材の構成を詳細に説明するための部分拡大断面図
【図９】ガラス押圧部材に取り付けられた防塵フィルタ支持ゴムとシート状絞り部材の組立斜視図
【図１０】ガラス押圧部材と防塵フィルタ支持ゴムとシート状絞り部材の分解斜視図
【図１１（ａ）】ガラス押圧部材にシート状絞り部材を嵌め込んだ状態を被写体側から見た図
【図１１（ｂ）】ガラス押圧部材にシート状絞り部材を嵌め込んだ状態を被写体側から見た図の外観斜視図
【図１１（ｃ）】図１１（ａ）の矢視Ｄから見た側面図
【図１２】図１１（ａ）のＣＣ断面図でガラス押圧部材とシート状絞り部材の光軸方向位置の関係を説明するための図
【図１３（ａ）】ガラス押圧部材にシート状絞り部材が嵌め込まれた状態を示す図
【図１３（ｂ）】ガラス押圧部材に嵌め込まれたシート状絞り部材の突状部周辺の拡大図
【発明を実施するための形態】
【００１３】
以下、図示の実施の形態によって本発明を説明する。
なお、以下の説明に用いる各図面においては、各構成要素を図面上で認識可能な程度の大きさとするため、各構成要素毎に縮尺を異ならせて示している場合がある。したがって、本発明は、これらの図面に記載された構成要素の数量，構成要素の形状，構成要素の大きさの比率及び各構成要素の相対的な位置関係は、図示の形態のみに限定されるものではない。
【００１４】
本発明の一実施形態は、例えば、固体撮像素子を用いて光学レンズにより形成される光学像を光電変換し、これによって得られる画像信号を静止画像又は動画像を表すデジタル画像データに変換し、こうして生成されたデジタルデータを記録媒体に記録し、また記録媒体に記録されたデジタル画像データに基づいて静止画像又は動画像を表示装置に再生表示し得るように構成されるデジタルカメラ等の撮像装置に適用した場合の例示である。
【００１５】
まず、本実施形態の撮像装置１の概略的な構成について、主に図１〜図３を用いて説明する。
図１は本発明の一実施形態の撮像装置であるデジタルカメラの外観斜視図で、図２はデジタルカメラのレンズ鏡筒を取り外した状態のカメラボディを示す外観斜視図である。また、図３は図１のＡＡ線に沿う断面図である。
図１の外観斜視図に示すように、本実施形態の撮像装置１であるデジタルカメラは、カメラボディ１０とレンズ鏡筒１１とによって構成されている。
レンズ鏡筒１１には、撮影光学系を構成する複数のレンズ群（図３参照）が配置され、被写体から見て順に、マニュアルモードの際に手動にて焦点調節操作を行うためのフォーカス操作環２１、手動にてズーミング操作を行うためのズーム操作環２２及びモード切り換えスイッチ２３等の操作部材が配置されている。
【００１６】
また、カメラボディ１０の外面には各種の操作部材が配設されている。
例えば、カメラボディ１０の上面側には、モード切換ダイヤル１０ｄ，シャッターリリースボタン１０ｅ等が配設され、図1には図示されていないが、カメラボディ１０の背面側には、記録媒体に記録されたデジタル画像データに基づいて静止画像又は動画像を再生表示する液晶表示装置（LCD）が配置されている。
【００１７】
レンズ鏡筒を取り外した状態を示す図２に示すように、カメラボディ１０は略箱型形状の筐体からなり、内部には、撮像ユニット４０（図３等参照；詳細後述）やバッテリ，記録媒体（不図示）等の各種構成ユニットが配設されている。このカメラボディ１０の前面の略中央部分には、開口１０ａが形成され、その内部の上記開口１０ａによって露呈される部位には、上記撮像ユニット４０が配設され、撮像素子チップ４１ａの受光面が前面に向けて露呈されている。また、上記開口１０ａの前面側周縁部には、レンズ鏡筒１１を着脱するためのボディ側マウント部１０ｂが配設されている。
【００１８】
次に、図１の光軸Ｏに沿ったＡＡ線に沿う断面図である図３を用いて、カメラボディ１０に配置された撮像ユニット４０とレンズ鏡筒１１の構成について説明する。
レンズ鏡筒１１は、複数の光学レンズからなる撮影光学系を構成する複数のレンズ群（第１〜第６レンズ群１２ａ，１３ａ，１４ａ，１５ａ，１６ａ，１７ａ）と、上記複数のレンズ群をそれぞれ保持する複数の保持枠（第１〜第６レンズ群保持枠１２，１３，１４，１５，１６，１７）と、これら複数の保持枠のうちの可動枠（後述する）を光軸Ｏに沿う方向において進退移動させるための駆動機構等（後述する）と、上述したフォーカス操作環２１及び手動にてズーミング操作を行うためのズーム操作環２２やモード切り換えスイッチ２３等の操作部材（図１参照）と、本レンズ鏡筒１１の基幹（ベース）部材となる固定枠１９及び前側固定枠１８等を有して構成される。
【００１９】
図３において、上記複数のレンズ群のうち第１レンズ群１２ａ及び第６レンズ群１７ａは固定レンズ群で、上記複数のレンズ群のうち第２〜第５レンズ群１３ａ，１４ａ，１５ａ，１６ａは可動レンズ群である。
そのために、これら２つのレンズ群（１２ａ，１７ａ）を保持する第１レンズ群保持枠１２及び第６レンズ群保持枠１７は、固定枠１９に固定される固定枠となっており、他のレンズ群（１３ａ，１４ａ，１５ａ，１６ａ）を保持する第２〜第５レンズ群保持枠１３〜１６は固定枠１９に対して可動する可動枠となっている。
【００２０】
上記駆動機構は、オートフォーカスモード設定時に自動で焦点調節動作（フォーカシング）を実行させるための駆動源及び駆動力伝達機構等からなるフォーカス駆動機構２５と、ズーミングを実行するための駆動源であるズームレンズ駆動モータ２４ａ及びその駆動力を伝達する駆動力伝達機構等からなるズーム駆動機構２４と、ズーム駆動機構２４からの駆動力をズーム用レンズ群保持枠（１４，１５，１６）へと伝達する回転枠２０等によって構成される。
なお、レンズ鏡筒１１の後端部には、カメラボディ１０のボディ側マウント部１０ｂに対してバヨネット結合されるレンズ側マウント部１１ｂが設けられている。
【００２１】
カメラボディ１０には、撮像ユニット４０と、表示ユニット４４と、ファインダユニット４５と、シャッタユニット４７と、閃光発光装置（不図示）等の各種構成ユニットが配設されている。更に、図示していないが、カメラボディ１０の内部には、電源としてのバッテリや、記録媒体としてのメモリカード等が着脱自在に配設される。
上記撮像ユニット４０は、詳細は図４から図７で説明するが、撮像素子チップ４１ａを含む撮像部４１とぶれ補正ユニット４２と防塵ユニット４３等から構成されている。
【００２２】
次ぎに、上記撮像ユニット４０の構成を、図４から図７を用いて説明する。
図４は図３におけるカメラボディ内に収納された撮像ユニット４０の要部周辺部を拡大表示した部分断面図である。図５は図４における防塵ゴム４１ｆ周辺の部分拡大断面図で、図６は図３におけるＢＢ線に沿った断面図のうち、カメラボディ内に収納された撮像ユニット４０の要部周辺部を拡大表示した部分断面図であって、図４とは断面方向が９０度ずれている状態を示した部分断面図である。図７は図６の撮像ユニット４０全体を分解した状態を示す分解斜視図である。
【００２３】
図４に示すように、カメラボディ１０の内部に配設された撮像ユニット４０を構成する撮像部４１は、矩形状の撮像素子チップ（撮像部材）４１ａと、撮像基板４１ｂと、この撮像基板４１ｂに配置された複数の電気部品４１ｃ（コネクタ等）と、この電気部品４１ｃに接続されたフレキシブルプリント基板４１ｄと、光学部材４１ｅと、この光学部材４１ｅを保持する弾性の防塵ゴム４１ｆと、防塵ゴム４１ｆを保持する撮像部保持枠４１ｇと、撮像素子保持板４１ｈ、ガラス押圧部材４１ｍ等によって構成されている。
【００２４】
図４及び図６に示すように、上記撮像素子チップ４１ａは、撮像基板４１ｂに配置された電気パターンに半田付け固定されており、この撮像基板４１ｂには、ぶれ補正の際に位置検出マグネットの位置を磁気の変化で検出するホール素子４９が配置されている。そして、このホール素子４９と対向する位置には、位置検出マグネットが支持板４８に配置されている。
【００２５】
なお、本実施形態における撮像素子チップ４１ａは、撮像素子（不図示）と、撮像素子の上面に所定の間隔を空けて配置された板状ガラスからなる撮像素子ガラス（不図示）とボンディングワイヤ（不図示）等を有するものとする。
また、撮像素子としては、ＣＣＤ（Charge Coupled Device；電荷結合素子）等の半導体素子を用いたＣＣＤイメージセンサーやＣＭＯＳ（Complementary Metal Oxide Semiconductor；相補性金属酸化膜半導体）を用いた固体撮像素子であるＭＯＳ型イメージセンサー等が適用される。
【００２６】
図４乃至図６に示すように、矩形状の撮像素子チップ４１ａの外表面の周縁部には、断面がL字形状の防塵ゴム押さえ４１ｎが配置されている。この防塵ゴム押さえ４１ｎは、光軸方向の断面部分４１ｎｘが撮像部保持枠４１ｇの額縁形状をした矩形状開口部内周面に接するように配置され、光軸と垂直な方向の断面部分４１ｎｙが撮像素子チップ４１ａの外表面の周縁部に接着されている両面テープ４１p上に位置している。そして、防塵ゴム４１ｆと接する部分は、この防塵ゴム４１ｆからへ弾性力を受け、この防塵ゴム４１ｆを防塵ゴム押さえ４１ｎに位置決めしている。
【００２７】
これによって、光軸Ｏと垂直な方向においては、撮像素子チップ４１ａの外表面の周縁部を接着剤としての両面テープ４１p及び防塵ゴム押さえ４１ｎの光軸方向の断面部分４１ｎｘで二重に封止し、光軸Ｏ方向においては、断面部分４１ｎｙと防塵ゴム４１ｆにおいて封止して防塵効果を高めている。また、光軸Ｏ方向及び光軸Ｏと垂直な方向において、撮像素子チップ４１ａ及び撮像部保持枠４１ｇに対して防塵ゴム押さえ４１ｎが位置決めされ、この防塵ゴム押さえ４１ｎが防塵ゴム４１ｆを押圧しているので、防塵ゴム４１ｆの位置決めがなされ、防塵ゴム４１ｆに保持されている光学部材４１ｅをも同時に位置決めすることができる。
【００２８】
また、図６及び図７に示すように、撮像素子チップ４１ａの外表面の周縁部の端部と側面部は、撮像部保持枠４１ｇの矩形状開口部に係合し接着固定されている。撮像部保持枠４１ｇの側面部には撮像素子チップ４１ａを接着で固定するために、接着剤を流し込む接着剤充填孔部４１ｇaが設けられている。この接着剤充填孔部４１ｇaは、撮像部保持枠４１ｇの側面部の外側から矩形状開口部に貫通する孔であって、図７に示すように、互いに対向して二箇所設けられている。この接着剤充填孔部４１ｇaは、接着剤を導入しやすくするために、導入開口部の形状は長方形状をしているが、撮像素子チップ４１ａへ通じる孔は導入開口部より小さい径の丸穴または長孔となっている。
【００２９】
なお、撮像素子チップ４１ａを接着剤で固定できる程度の大きさであれば一箇所でも良く、また、撮像素子チップ４１ａを接着剤で固定できる強度を三箇所以上で得られるようにしても良い。さらに、導入開口部の形状は丸型形状でも、楕円形状でも接着剤が導入できる形状であれば良い。撮像素子チップ４１ａの側面に近い部分の形状も、撮像素子チップ４１ａの側面に接着剤が到達できる形状であれば良い。
また、第１の接着剤として両面テープを用いたが、両面テープを用いるのと同様な作用、即ち、即効性が高いものであれば、流動性を有する接着剤でも良い。
【００３０】
撮像部保持枠４１ｇに設けられた複数の接着剤充填孔部４１ｇaから接着剤が充填されと、図４及び図６に示すように、充填された接着剤は撮像基板４１ｂと撮像部保持枠４１ｇとで形成される空間部５１内に充填される。そして、撮像素子チップ４１ａの側面部と撮像部保持枠４１ｇとが接着剤で固定されるとともに、背面部の周縁部分が撮像基板４１ｂの電気パターンに半田付けされる撮像素子チップ４１ａの中心部分が接着剤で固定される。そのため、片持ち状態で接着される状態とはならないので、十分な固定強度が得られ、振動や衝撃等の外力にも強くなる。
【００３１】
また、撮像基板４１ｂを固定するための部材が不要となるので、光軸方向の厚さを薄くすることができ、カメラを小型化ができる。同様に、本願の実施形態に基づいて説明すると、ＩＳフレーム４２ｈに撮像基板４１ｂをねじ固定しなくても接続強度が保たれるので、ねじを用いない分だけ光軸方向の厚さを薄くすることができ、カメラを小型化している。
【００３２】
次ぎに、光学部材４１ｅと、光学部材４１ｅを保持し撮像部４１の一部を形成する防塵ゴム４１ｆ（弾性保持部材）と、光学部材４１ｅを押圧するガラス押圧部材４１ｍの周辺の構成について説明する。
図５及び図６に示したように、撮像部保持枠４１ｇは防塵ゴム押さえ４１ｎを介して弾性の防塵ゴム４１ｆを保持している。この弾性の防塵ゴム４１ｆは、矩形状をしており、撮像素子チップ側から順番に、ローパスフィルタ等の矩形状の光学フィルタ４１ｅa、矩形状の板状ガラス学部材４１ｅｂを保持している。光学フィルタ４１ｅaは、撮像素子チップ４１aの前面とは所定の間隔を有して当該撮像素子チップ４１a側に配置され、板状ガラス学部材４１ｅｂは、光路長を補正する厚い透明な板状のガラスから構成されて被写体側に配置されている。
【００３３】
なお、本実施形態では、防塵ゴム４１ｆ、光学フィルタ４１ｅa及び板状ガラス学部材４１ｅｂは撮像素子チップの形状に合わせて矩形状（長方形形状）のものを用いているが、円形のものであっても良い。また、上記光学フィルタ４１ｅaは、紫外光カットフィルタ，赤外光カットフィルタであっても良い。さらに、光学的な設計上、光学的フィルタ効果を必要としない場合には透明な板状ガラスを2枚重ねても、１枚の透明な板状ガラスを用いても良い。
【００３４】
図４及び図５に示したように、防塵ゴム４１ｆは、上記光学部材４１ｅの外周縁部を全周に渡って取り巻くように保持する矩形状のフィルタ保持部４１ｆａと、光学部材４１ｅの後面側の外周縁部を覆い、撮像素子チップ４１aとの間隔を規定するとともに撮像素子チップ４１aの被写体側の平面に塵埃等が侵入するのを密閉して防止する第１ヒレ部４１ｆｂと、被写体側に配置された厚い透明な板状ガラス４１ｅｂを光軸方向に抜けるのを押さえるガラス押圧部材４１ｍと撮像部保持枠４１ｇとの間から塵埃等が侵入するのを密閉して防止する第２ヒレ部４１ｆｃとから構成されている。
【００３５】
なお、上記防塵ゴム４１ｆは、例えば、ＮＢＲ（ニトリルゴム）、ＥＰＤＭ（エチレンピロピレンゴム）、ＦＫＭ（ふっ素ゴム）、ＣＲ（クロロプレンゴム）、ＶＭＱ（シリコーンゴム）、ＵＲ（ポリウレタンゴム）、ＮＲ（天然ゴム）、ＡＣＭ（アクリルゴム）等の材質で構成された弾性部材である。
【００３６】
次に、ガラス押圧部材４１ｍとシート状絞り部材４１ｒの構成を詳細に説明する。
図８は、ガラス押圧部材４１ｍとシート状絞り部材４１ｒの構成を詳細に説明するための部分拡大断面図である。また、図９はガラス押圧部材４１ｍに取り付けられた防塵フィルタ支持ゴム４３ａとシート状絞り部材４１ｒの組立斜視図で、図１０はガラス押圧部材４１ｍに取り付けられる防塵フィルタ支持ゴム４３ａとシート状絞り部材４１ｒの分解斜視図である。
【００３７】
図１１（ａ）はガラス押圧部材４１ｍにシート状絞り部材４１ｒを嵌め込んだ状態を被写体側から見た図で、図１１（ｂ）はその外観斜視図、図１１（ｃ）は図１１（ａ）の矢視Ｄから見た側面図である。図１２は図１１（ａ）のＣＣ断面図でガラス押圧部材４１ｍとシート状絞り部材４１ｒの光軸方向位置の関係を説明するための図である。図１２はガラス押圧部材４１ｍにシート状絞り部材４１ｒが嵌め込まれた状態を示す図である。
【００３８】
図８に示すように、光学部材４１ｅ（光学フィルタ（防塵部材）４１ｅa及び板状ガラス４１ｅｂから構成されている。以下、同様とする）とガラス押圧部材４１ｍとの間にはシート状絞り部材４１ｒが配置され、光学部材４１ｅの周縁部とシート状絞り部材４１ｒが、後述するガラス押圧部材４１ｍのガラス押圧部４１ｍａによって光軸方向に押圧した状態で配置されている。このガラス押圧部材４１ｍ（絞り保持部材）は、図４で説明したように、撮像素子保持枠４１ｇにねじ固定され、板状ガラス４１ｅｂを押圧保持するガラス押圧部４１ｍａと、光軸Ｏ方向において撮像部４１の方向へ所定の長さだけ折り曲げられた延長部４１ｍｂと、この延長部４１ｍｂの端部で光軸Ｏ方向と垂直な方向へ所定の長さだけ折り曲げられたフランジ部４１ｍｃと、とから構成されている。そして、ガラス押圧部４１ｍａと延長部４１ｍｂとは、Ｌ字状にフランジ部４１ｍｃから延出した形状をしている。
【００３９】
図９は、上述したガラス押圧部材４１ｍに防塵フィルタ支持ゴム４３ａとシート状絞り部材４１ｒとを取り付けた状態を示す組立斜視図で、図９において、４１ｒａはシート状絞り部材４１ｒに設けられた四角形状の開口部（第１の開口部）を示し、４１ｒｂは四角形状をした開口部（第１の開口部）の四隅の角部に形成された突状部を示している。詳細は後述するが、突状部４１ｒｂは、ガラス押圧部材４１ｍにシート状絞り部材４１ｒを取り付ける際、シート状絞り部材４１ｒがガラス押圧部材４１ｍの下側（重力側）に位置しても落ちないように設けられている。
【００４０】
図１０は図９で説明したガラス押圧部材４１ｍと防塵フィルタ支持ゴム４３ａとシート状絞り部材４１ｒの分解斜視図である。
図１０において、シート状絞り部材４１ｒには、図９で説明したように、撮影光学系を通過してきた撮影光束を通すための開口部である四角形状の開口部（第１の開口部）４１ｒａと、この四角形状をした開口部（第１の開口部）の四隅の角部に形成された突状部４１ｒｂと、突状部４１ｒｂ間を形成する外周辺部４１ｒｃが設けられている。
【００４１】
また、ガラス押圧部材４１ｍには、撮影光学系を通過してきた撮影光束を通すための開口部である四角形状の開口部（第２の開口部）４１ｍｄと、この四角形状をした開口部（第２の開口部）の四隅の角部に形成された切欠き部４１ｍｅと、シート状絞り部材４１ｒの突状部４１ｒｂ間を形成する４つの辺である外周辺部４１ｒｃを押圧するガラス押圧部４１ｍａと、が設けられている。なお、本実施形態では、第２の開口部４１ｍｄは、切欠き部４１ｍｅを含み、フランジ部４１ｍｃから延出した延長部４１ｍｂとガラス押圧部４１ｍａとによって形成される断面がＬ字状のＬ字状部である、ガラス押圧部４１ｍａの周縁部によって形成されている。
【００４２】
ここで、上記シート状絞り部材４１ｒに形成された四角形状の開口部（第１の開口部）４１ｒａと上記ガラス押圧部材４１ｍに形成された四角形状の開口部（第２の開口部）４１ｍｄの大きさは、同じかまたは略等しく形成されている。
また、詳細は図１１及び図１２で説明するが、ガラス押圧部材４１ｍに形成された切欠き部４１ｍｅには上記シート状絞り部材４１ｒに形成された突状部４１ｒｂが位置し、この突状部４１ｒｂの先端側の一部はガラス押圧部材４１ｍと重なるように配置される。
【００４３】
図１１（ａ）（ｂ）（ｃ）は、ガラス押圧部材４１ｍにシート状絞り部材４１ｒを組み込んだ状態を、被写体側から見た図である。各図に示したように、シート状絞り部材４１ｒの外周辺部４１ｒｃは紙面の裏側に位置し、シート状絞り部材４１ｒに形成された突状部４１ｒｂは切欠き部４１ｍｅに位置するとともに、その先端の一部はガラス押圧部材４１ｍに重なりつつ紙面の表側に位置している。（図１１（ａ）の点線及び図１１（ｃ）参照）
【００４４】
より詳細には、シート状絞り部材４１ｒは、図１１（ａ）のＣＣ断面の概略図を示す図１２に示すように配置されている。図１２において、ガラス押圧部材４１ｍ（絞り保持部材）には、光軸Ｏ方向において撮像部４１の方向へ所定の長さＬだけ折り曲げられた延長部４１ｍｂが形成されており、ガラス押圧部材４１ｍにシート状絞り部材４１ｒを組み付ける際、当該シート状絞り部材４１ｒはこの長さＬ間に配置される。
【００４５】
これは、シート状絞り部材４１ｒの厚さは０．０５〜０．０９ｍｍと非常に薄いため、延長部４１ｍｂの高さＬ（０．５〜１．０ｍｍ）内を自由に動けるようにして、容易に、ガラス押圧部材４１ｍにシート状絞り部材４１ｒを挿入しやすくしている。これにより、シート状絞り部材４１ｒに形成された突状部４１ｒｂを、切欠き部４１ｍｅに容易に位置させ、突状部４１ｒｂの先端部をガラス押圧部材４１ｍに引っかけて固定（後述する重複領域４１ｍｇ（図１３（ａ）（ｂ）参照））するのを容易にしている。
【００４６】
なお、ガラス押圧部材４１ｍにシート状絞り部材４１ｒを組み付ける場合には、図１２に示すように、延長部４１ｍｂの高さＬの間で光軸方向に動けるようになっているが、ガラス押圧部材４１ｍにシート状絞り部材４１ｒ及び防塵フィルタ支持ゴム４３ａを組み付けたユニットを撮像素子保持枠４１ｇにねじ固定した場合には、ガラス押圧部４１ｍａによってシート状絞り部材４１ｒ及び板状ガラス４１ｅｂが押圧されるので、シート状絞り部材４１ｒは、図８及び図１２に示した位置で動かないように固定される。
【００４７】
図１３（ａ）は撮像素子部側から見た状態を示した図で、ガラス押圧部材４１ｍにシート状絞り部材４１ｒを組み付けたユニットの全体図を示し、図１３（ｂ）は左下側に位置する突状部４１ｒｂの周辺の拡大図である。
図１３（ａ）（ｂ）において、シート状絞り部材４１ｒの突状部４１ｒｂの先端部(点線で表された部分)はガラス押圧部材４１ｍの被写体側の面(紙面裏側の面、第１の面)に位置し、それ以外のシート状絞り部材４１ｒの部分はガラス押圧部材４１ｍの撮像素子部側の面(紙面表側の面、第２の面)に位置している。
【００４８】
即ち、図１３（ａ）においては、紙面の表側から裏側へ重力が働くとすると、ガラス押圧部材４１ｍに紙面の表側から挿入されたシート状絞り部材４１ｒの外周辺部４１ｒｃは、ガラス押圧部４１ｍａの撮像素子部側の面(第２の面) に支持される。また、同様に、紙面の表側から裏側へ重力が働くとすると、図１３（ｂ）に示すように、突状部４１ｒｂの先端部(点線で表された部分)は切欠き部４１ｍｅを介してガラス押圧部材４１ｍのフランジ部４１ｍｃ（図１２参照）の下側(紙面裏側の面、第１の面)へ挿入された状態となる。
即ち、図１３（ｂ）に示すように、網掛け領域として表示された、切欠き部４１ｍｅの外周線と突状部４１ｒｂの先端部を示す点線とで囲まれた領域(重複領域４１ｍｇ)で、突状部４１ｒｂの一部はガラス押圧部材４１ｍのフランジ部４１ｍｃに重なるように配置される。
【００４９】
なお、上記ガラス押圧部４１ｍａは、外周辺部４１ｒｃを支持していれば良いので、シート状絞り部材４１ｒの開口部よりもガラス押圧部４１ｍａの絞り開口部（第１の開口部４１ｒａ）の方が小さい場合には、当該ガラス押圧部４１ｍａの絞り開口部（第１の開口部４１ｒａ）は完全な四角形状でなくても良い。即ち、ガラス押圧部４１ｍａの各辺を所定の長さにしても、四角形状のうちの少なくとも３辺にガラス押圧部４１ｍａを設けるようにしても良い。
【００５０】
このように、シート状絞り部材４１ｒの突状部４１ｒｂはガラス押圧部材４１ｍを構成するガラス押圧部４１ｍａの被写体側の面(第１の面)に配置され、シート状絞り部材４１ｒの外周辺部４１ｒｃの少なくとも一部（突状部４１ｒｂ以外の外周辺部４１ｒｃの少なくとも一部）は、ガラス押圧部材４１ｍを構成するガラス押圧部４１ｍａの内側の面(第２の面)に支持されるように配置されている。
【００５１】
以上、説明したように、ガラス押圧部材４１ｍは、フランジ部４１ｍｃから延出したガラス押圧部４１ｍａと延長部４１ｍｂとによってＬ字状部を有するので、このＬ字状部の高さ（図１２の長さＬ参照）によって、ガラス押圧部材４１ｍにシート状絞り部材４１ｒを組み付けるのが容易となる。
また、組み付け後は、ガラス押圧部材４１ｍの所定の高さ（図１２の長さＬ参照）内において移動自在に配置されるが、ガラス押圧部材４１ｍからシート状絞り部材４１ｒが落ちることがないので、ガラス押圧部材４１ｍにシート状絞り部材４１ｒを組み込んだユニットとして構成することができる。
さらに、図９に示したように防塵フィルタ支持ゴム４３ａを組み込んで絞りユニット(絞り装置)として構成できるので、撮像ユニットに組み付ける際にはガラス押圧部材４１ｍを固定するのみで、絞りユニット(絞り装置)を固定でき組立て性の向上が図れる。
【００５２】
また、シート状絞り部材４１ｒに突状部４１ｒｂを設けて、ガラス押圧部材４１ｍに設けた切欠き部の裏側（図１３（ａでは紙面裏側））に上記突状部４１ｒｂ及びその周辺を変形させて組み込むことができるようにしたので、薄いシート状絞り部材４１ｒを傷つけることもない。さらに、ガラス押圧部材４１ｍにシート状絞り部材４１ｒを組み込む際に、シート状絞り部材４１ｒを固定する他の部品が不要となる。なお、本実施形態では、シート状絞り部材４１ｒに設けられた突状部４１ｒｂは、開口部を有する四角形状の四隅に設けたが、少なくとも３つの角部に設けられていれば良い。
【００５３】
次に、防塵ゴム４１ｆ（弾性保持部材）とガラス押圧部材４１ｍとの組立てについて説明する。
防塵ゴム４１ｆ（弾性保持部材）に、ローパスフィルタ等の光学フィルタ４１ｅaと被写体側に配置された厚い透明な板状ガラス４１ｅｂとからなる光学部材４１ｅを保持させる。そして、それらを保持した状態で、シート状絞り部材４１ｒと後述する防塵フィルタ支持ゴム４３ａを予め組み込んだガラス押圧部材４１ｍ（図１２参照）を板状ガラス４１ｅｂとともに被写体側から撮像部保持枠４１ｇへ挿入し、その後、このガラス押圧部材４１ｍを撮像部保持枠４１ｇにねじ止めする。なお、矩形状のフィルタ保持部４１ｆａの内径は光学フィルタ４１ｅaの外形寸法よりも小さい寸法となっており、フィルタ保持部４１ｆａの外径は防塵ゴム押さえ４１ｎの開口部内周よりも大きい寸法となっている。そのため、弾性変形して当該光学フィルタ４１ｅa及び防塵ゴム押さえ４１ｎに密着固定される。
【００５４】
また、上記第１ヒレ部４１ｆｂは、非取付け時には光軸Ｏ方向において撮像素子チップ４１a側に所定の角度を有して広がるように延出して形成されているため、取付け時には撮像素子チップ４１aの被写体側の平面に密閉し、塵埃等が侵入するのを防止する。
一方、第２ヒレ部４１ｆｃは、非取付け時には光軸と垂直な方向において光軸Ｏ方向へ所定の角度を有して広がるように延出して形成されているため、取付け時には第２ヒレ部４１ｆｃの先端から光軸Ｏと垂直な方向に起こされてガラス押圧部材４１ｍに密着し、ガラス押圧部材４１ｍと板状ガラス４１ｅｂとの間から塵埃等が侵入するのを防止する。
【００５５】
なお、第１ヒレ部４１ｆｂは、非取付け時に、上記フィルタ保持部４１ｆａの延長線方向であって、撮影光軸Ｏに垂直な方向に延出して形成されていても良い。
また、第２ヒレ部４１ｆｃは、ヒレ状ではなく、フィルタ保持部４１ｆａの被写体側の一部分を光軸と垂直な方向へ厚く形成し、ガラス押圧部材４１ｍに押しつぶされるようにして塵埃等が侵入するのを防止するようにしても良い。
【００５６】
また、本実施形態では、上記防塵ゴム４１ｆは、撮像素子チップ４１aに向かって光軸方向から撮像素子保持枠４１ｇに挿入されるが、撮像素子チップ４１aから被写体側に向かって光軸方向から撮像素子保持枠４１ｇに挿入し、防塵ゴム４１ｆを撮像素子保持枠４１ｇに弾性的に固定してから、ガラス押圧部材４１ｍを撮像素子保持枠４１ｇにねじ固定するようにしても良い。
【００５７】
但し、この場合には、防塵ゴム４１ｆ及びガラス押圧部材４１ｍを撮像素子保持枠４１ｇに固定した後に、撮像素子チップ４１aを撮像素子保持枠４１ｇに接着固定することとなる。そのため、撮像素子チップ４１aを撮像素子保持枠４１ｇに接着固定する際、撮像素子保持枠４１ｇに防塵ゴム４１ｆ及びガラス押圧部材４１ｍが既に固定または仮固定されているので、撮像素子チップ４１aを撮像素子保持枠４１ｇに固定する際の光軸合わせに工数が必要となる。
【００５８】
次に、図４、図６及び図７に戻って防塵ユニット４３について説明する。
図４及び図６に示すように、防塵ユニット４３は撮像部４１の一端部側に位置し、撮像部４１がＩＳフレーム４２ｈに組み付けられた後に上記撮像部４１に組み付けられる。
上記防塵ユニット４３は、ガラス押圧部材４１ｍの延長部４１ｍｂとフランジ部４１ｍｃに配置された防塵フィルタ支持ゴム４３ａと、この防塵フィルタ支持ゴム４３ａ上に配置された防塵フィルタ４３ｂと、防塵フィルタ４３ｂに配置された防塵フィルタ駆動部材４３ｃと、光軸Ｏ方向において撮像部４１の方向へ防塵フィルタ４３ｂを撮像素子保持枠４１ｇに押圧する防塵フィルタ保持部材４３ｄ等によって構成されている。
【００５９】
図４及び図６に示したように、防塵フィルタ支持ゴム４３ａには凸状部が形成されており、防塵フィルタ４３ｂはこの凸状部に接するように支持された状態で配置されている。この防塵フィルタ４３ｂは、透明薄板状に形成される板状光学部材であって、板状ガラス４１ｅｂの前面に対して所定の間隔を保って対向する位置に配置されている。そして、防塵フィルタ４３ｂの背面側の外周縁部近傍の一辺の一端部には、防塵フィルタ駆動部材４３ｃが固設されている。この防塵フィルタ駆動部材４３ｃは、通電状態とされたときには固有の振動を発生させ得る圧電素子等の部材によって構成されている。
【００６０】
また、図７に示すように、防塵フィルタ保持部材４３ｄには、Ｔ状のばね部４３ｄａがその外周縁部近傍に対向して２箇所設けられており、このＴ状のばね部４３ｄａによって防塵フィルタ４３ｂの前面側を、その外周縁部近傍に配設される防塵フィルタ保持部材４３ｄによって光軸Ｏに沿う後方である撮像部４１に向けて押圧支持している。
【００６１】
次に、ぶれ補正ユニット４２の構成について説明する。
本実施形態の振れ補正は、ＶＣＭ（ボイスコイルモータ；Voice Coil Motor）方式を採用しており、上記撮像部４１をその受光面に平行な方向（Ｘ軸方向及びＹ軸方向）に任意のタイミングで任意の移動量だけ移動させることが可能であるとともに上記受光面上で任意な方向へ回転させることが可能となっている。
【００６２】
図７に示すように、撮像素子保持枠４１ｇには、その開口部の外周部にぶれ補正ユニット４２の一部を構成する部材としての、Ｘ軸移動用のＸ軸１コイル４２ａとＸ軸２コイル４２ｂ、及びＹ軸移動用のＹ軸コイル４２ｃが配置されている。Ｘ軸１コイル４２ａは撮像素子保持枠４１ｇの開口部の外方（光軸と垂直な方向）に向けて延設される外周縁部近傍の板状部位に配設され、Ｘ軸２コイル４２ｂは、撮像素子保持枠４１ｇの開口部を挟んでＸ軸１コイル４２ａと反対側（下部側）に配置され、Ｙ軸コイル４２ｃは、撮像素子保持枠４１ｇの開口部の下部側であって、Ｘ軸に対して平行に並ぶようにＸ軸２コイル４２ｂと並んで配置されている。
【００６３】
また、撮像素子保持枠４１ｇの被写体側には、ＩＳフレーム４２ｈに固定された前側ヨーク４２ｇが配置されている。そして、この前側ヨーク４２ｇは撮像ユニット４０の正面から見て略Ｌ字形状に形成されて、Ｘ軸１コイル４２ａ、Ｘ軸２コイル４２ｂ及びＹ軸コイル４２ｃのそれぞれと光軸Ｏ方向において対向する位置には、Ｘ軸駆動用のＸ軸１マグネット４２ｄ、Ｘ軸駆動用のＸ軸２マグネット４２ｅ及びＹ軸駆動用のＹ軸マグネット４２ｆがそれぞれ接着されている。なお、Ｘ軸１コイル４２ａ、Ｘ軸２コイル４２ｂ及びＹ軸コイル４２ｃのそれぞれと、それらの各々と対向する位置に配置されたＸ軸駆動用のＸ軸１マグネット４２ｄ、Ｘ軸駆動用のＸ軸２マグネット４２ｅ及びＹ軸駆動用のＹ軸マグネット４２ｆとの間は所定の間隔が維持された状態で両者は非接触状態となっている。
【００６４】
図７で示すＸ軸１マグネット４２ｄは、Ｎ極を示すマグネットとＳ極を示すマグネットから構成されている。Ｎ極を示すマグネットはＹ軸方向に長く大きい直方体で描かれ、Ｓ極を示すマグネットはＹ軸方向に長くＮ極を示すマグネットより小さい直方体で描かれている。また、Ｘ軸２マグネット４２ｅは、Ｙ軸方向に長い直方体で描かれているＮ極マグネットとＸ軸方向に長いＳ極マグネットで構成され、Ｙ軸マグネット４２ｆは上記Ｘ軸方向に長いＳ極マグネットを共通としてＸ軸方向に長いＮ極マグネットとで構成されている。即ち、Ｓ極マグネットが、Ｘ軸駆動用とＹ軸駆動用のマグネットを兼ねている。
【００６５】
同様に、ＩＳフレーム４２ｈには、前側ヨーク４２ｇに配置されたマグネットと同じ形状で同じ磁力を有するマグネットが配置されている。これらのマグネットは、撮像素子保持枠４１ｇに配置された各コイル（Ｘ軸１コイル４２ａ、Ｘ軸２コイル４２ｂ及びＹ軸コイル４２ｃ）のそれぞれを挟んで、前側ヨーク４２ｇに配置されたマグネットと同じマグネット（Ｘ軸１マグネット４２ｄ、Ｘ軸駆動用のＸ軸２マグネット４２ｅ及びＹ軸駆動用のＹ軸マグネット４２ｆ）がそれぞれ光軸Ｏ方向において対向して位置されている。
そして、ＩＳフレーム４２ｈ側のＸ軸１マグネット４２ｄは後側ヨーク４２ｍに接着され、Ｘ軸２マグネット４２ｅ及びＹ軸マグネット４２ｆは後側ヨーク４２ｎに接着されている。すなわち、後側ヨーク４２ｍ、４２ｎがＩＳフレーム４２ｈにねじ固定されることによって、上記マグネットがＩＳフレーム４２ｈに固定される構成となっている。
【００６６】
なお、前側ヨーク４２ｇは、撮像部４１等の組立体を保持した状態の撮像素子保持枠４１ｇを挟んで、ＩＳフレーム４２ｈに二本のねじによってねじ止め固定されている。また、撮像素子保持枠４１ｇには、凹形状に形成されたボール収納部（不図示が三箇所形成されている。この各ボール収納部には、セラミックボール（不図示）が１個づつ収納配置されている。そして、ＩＳフレーム４２ｈには、組み立てられた際にこのボール収納部と対向する位置に平面ボール受部が三箇所形成されている。
【００６７】
そして、この構成により、ぶれ補正ユニット４２に対する通電が開始されると、撮像部４１等の組立体を保持した状態の撮像素子保持枠４１ｇは、前側ヨーク４２ｇと、ＩＳフレーム４２ｈに固定された後側ヨーク４２ｍ及び後側ヨーク４２ｎとの間で、セラミックボールを介していわば浮遊状態で移動する。なお、本実施形態ではセラミックボールを使用したが、スチールボールを使用しても良い。
【００６８】
また、Ｘ軸１コイル４２ａを挟んで配置されている一組のＸ軸１マグネット４２ｄと、
Ｘ軸２コイル４２ｂを挟んで配置されている一組のＸ軸２マグネット４２ｅと、によって回転を制御することも可能となっている。即ち、本実施形態では、光軸Ｏに垂直な平面内において、Ｘ軸方向のぶれ補正とＹ軸方向のぶれ補正との他に、光軸Ｏまたは光軸Ｏと平行な軸周りのぶれ補正をもすることができる。
【００６９】
次に、ぶれ補正時に移動する撮像素子保持枠４１ｇの位置検出について説明する。
撮像素子保持枠４１ｇは、前側ヨーク４２ｇと、ＩＳフレーム４２ｈに固定された後側ヨーク４２ｍ及び後側ヨーク４２ｎと、に挟持され、これらとともにぶれ補正時に移動する。
【００７０】
図７に示したように、ＩＳフレーム４２ｈには支持板４８がねじ止め固定されている。この支持板４８は、後側ヨーク４２ｍ及び後側ヨーク４２ｎが取り付けられている側とは反対側の面にねじ固定されていて、後述する各ホール素子４９の位置に対応して、一対の位置検出用マグネットがそれぞれ配置されている。この一対のマグネットは、Ｓ極マグネットとＮ極マグネットから構成され、Ｘ軸方向の位置検出用のＸ軸１位置検出マグネット４６Ｘ１及びＸ軸２位置検出マグネット４６Ｘ２と、Ｙ軸方向の位置検出用のＹ軸位置検出マグネット４６Ｙである。
【００７１】
また、撮像基板４１ｂには、各位置検出マグネット（４６Ｘ１、４６Ｘ２、４６Ｙ）に対応する３つのホール素子４９が配設されおり、各位置検出マグネット（４６Ｘ１、４６Ｘ２、４６Ｙ）と撮像部４１の光軸Ｏに直交する平面に平行な面（受光面と平行な面）内における位置を検出するホール素子４９とによって位置検出手段を構成している。
【００７２】
ぶれ補正は、ぶれ補正ユニット４２に対する通電が開始されると、３つのホール素子４９からの各信号に基づいて、即ち、Ｘ軸方向のぶれを補正する際にはＸ軸のぶれ方向に対応する２つのホール素子４９からの各信号に基づいて演算及び補正を行い、Ｙ軸方向のぶれを補正する際には１つのホール素子４９からの各信号に基づいて演算及び補正を行い、回転方向のぶれを補正する際には３つのホール素子４９からの各信号に基づいて演算及び補正を行う処理を行われる。
【００７３】
なお、図７に示すように、ヨーク４２ｇには、撮像部保持枠４１ｇの回転制御の際、所定角度以上の回転が行われないように回転規制ストッパ５０が固定されている。また、詳細な説明は省略するが、ＩＳフレーム４２ｈに固定される撮像素子保持板４１ｈには、撮像部保持枠４１ｇがＸ軸方向またはＹ軸方向に移動してぶれ補正する際、Ｘ軸方向及びＹ軸方向への移動距離を規制するための直進規制ストッパの機能を持たせている。
【００７４】
上述した一実施形態で示した撮像装置１は、カメラボディ１０に対してレンズ鏡筒１１を着脱自在に構成したいわゆる撮影レンズ交換式の形態としているが、撮像装置の構成としては、この形態のものに限定することはなく、例えばカメラボディに対してレンズ鏡筒を一体に固定した形態の撮像装置に対しても全く同様に適用することが可能である。
【００７５】
また、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【符号の説明】
【００７６】
１……撮像装置，
１０……カメラボディ，１０ａ……開口，１０ｂ……ボディ側マウント部，１０ｃ……レンズリリースボタン，１０ｄ……モード切換ダイヤル，１０ｅ……シャッターリリースボタン，
１１……レンズ鏡筒，１１ｂ……レンズ側マウント部，
１２，１３，１４，１５，１６，１７……レンズ群保持枠，
１２ａ，１３ａ，１４ａ，１５ａ，１６ａ，１７ａ……レンズ群，
１８……前側固定枠，１９……固定枠，２０……回転枠，
２１……フォーカス操作環，２２……ズーム操作環，２３……モード切り換えスイッチ，２４……ズーム駆動機構，２４ａ……ズームレンズ駆動モータ，２５……フォーカス駆動機構，
４０……撮像ユニット，
４１……撮像部，４１ａ……撮像素子チップ（撮像素子部材），４１ｂ……撮像基板，４１ｃ……電気部品，４１ｄ……フレキシブルプリント基板，
４１ｅ……光学部材，
４１ｅa……光学フィルタ（防塵部材）,４１ｅｂ……板状ガラス
４１ｆ……防塵ゴム（弾性保持部材），
４１ｆａ……フィルタ保持部
４１ｆｂ……第１ヒレ部，
４１ｆｃ……第２ヒレ部，
４１ｇ……撮像部保持枠（保持部材），
４１ｇａ……接着剤充填孔部，
４１ｈ……撮像素子保持板，４１ｋ……電気部品，
４１ｍ……ガラス押圧部材（絞り保持部材）,
４１ｍａ……ガラス押圧部
４１ｍｂ……延長部４１ｍｂ
４１ｍｃ……フランジ部
４１ｍｄ……開口部（第２の開口部）
４１ｍｅ……切欠き部
４１ｍｇ……重複領域
４１ｎ……防塵ゴム押さえ,
４１p……両面テープ
４１ｒ……シート状絞り部材
４１ｒａ……絞り開口部（第１の開口部）
４１ｒｂ……突状部
４１ｒｃ……外周辺部
４２……振れ補正ユニット，
４２ａ……Ｘ軸１コイル，４２ｂ……Ｘ軸２コイル， ４２ｃ……Ｙ軸コイル，
４２ｄ……Ｘ軸１マグネット、４２ｅ……Ｘ軸駆動用のＸ軸２マグネット,４２ｆ……Ｙ軸駆動用のＹ軸マグネット
４２ｇ……前側ヨーク,４２ｍ，４２ｎ……後側ヨーク，４２ｈ……ＩＳフレーム
４３……防塵ユニット，４３ａ……防塵フィルタ支持ゴム，４３ｂ……防塵フィルタ，４３ｃ……防塵フィルタ駆動部材，４３ｄ……防塵フィルタ保持部材，
４４……表示ユニット，
４５……ファインダユニット，
４６……位置検出マグネット,４６Ｘ１……Ｘ軸１位置検出マグネット,４６Ｘ２……Ｘ軸２位置検出マグネット,４６Ｙ……Ｙ軸位置検出マグネット
４７シャッタユニット
４８……支持板
４９……ホール素子
５０……回転規制ストッパ
５１……空間部
【図１】
2014191284.tif 000003
【図２】
2014191284.tif 000004
【図３】
2014191284.tif 000005
【図４】
2014191284.tif 000006
【図５】
2014191284.tif 000007
【図６】
2014191284.tif 000008
【図７】
2014191284.tif 000009
【図８】
2014191284.tif 000010
【図９】
2014191284.tif 000011
【図１０】
2014191284.tif 000012
【図１１（ａ）】
2014191284.tif 000013
【図１１（ｂ）】
2014191284.tif 000014
【図１１（ｃ）】
2014191284.tif 000015
【図１２】
2014191284.tif 000016
【図１３（ａ）】
2014191284.tif 000017
【図１３（ｂ）】
2014191284.tif 000018